(57)【特許請求の範囲】
【請求項１】
被写界を複数の領域に分割し、各領域ごとに測光素子を配置して測光する測光装置において、
前記複数の領域のうちの特定領域に対応する測光素子の測光値を、前記特定領域以外の領域の測光値と、予め設定した各領域ごとの補正係数とに基づいて補正する演算部を備え、
前記演算部は、前記特定領域近傍の領域における補正係数の絶対値が、その領域の測光素子出力の補正への影響の割合が小さくなるように設定された補正係数に基づいて補正することを特徴とする測光装置。
【請求項２】
被写界を複数の領域に分割し、各領域ごとに測光素子を配置して測光する測光装置において、
前記複数の領域のうちの特定領域に対応する測光素子の測光値を、前記特定領域以外の領域の測光値と、予め設定した各領域ごとの補正係数とに基づいて補正する演算部を備え、
前記演算部は、前記各領域ごとの補正係数を、前記特定領域以外では０又は負の値とし、前記特定領域内では正の値として、前記各領域ごとの測光値と対応する補正係数との積の和をとることにより、前記特定領域の測光値を補正した値を求めることを特徴とする測光装置。
【請求項３】
請求項２に記載の測光装置において、
前記演算部は、前記特定領域近傍の領域における補正係数の絶対値が、その領域の測光素子出力の補正への影響の割合が小さくなるように設定された補正係数に基づいて補正することを特徴とする測光装置。
【請求項４】
請求項２に記載の測光装置において、
前記演算部は、前記各領域のうち、前記特定領域の近くでは補正係数の絶対値が大きく、画面周辺にいくに従って小さくなるような分布を持つ補正係数に基づいて補正することを特徴とする測光装置。
【請求項５】
請求項１から請求項４のいずれか１項に記載の測光装置において、
前記特定の領域は、被写界の複数の位置に設定されていることを特徴とする測光装置。
【請求項６】
請求項５に記載の測光装置において、
前記複数の特定領域のなかから任意の特定領域を選択する操作部材を備えることを特徴とする測光装置。
【請求項７】
請求項５に記載の測光装置を備えたカメラにおいて、
撮影画面を複数の焦点検出領域に分割し、各焦点検出領域ごとに撮影光学系の焦点調節状態を検出する焦点検出部と、
前記焦点検出部により検出された焦点検出領域ごとの焦点調節状態に基づいて、前記複数の特定領域のなかからいずれかの特定領域を選択する領域選択部とを備えることを特徴とするカメラ。
【請求項８】
請求項１から請求項６のいずれか１項に記載の測光装置を備えたカメラにおいて、
交換可能なスクリーンのうち、使用されているスクリーンの種類を識別する識別部を持ち、
前記演算部は、前記スクリーンの種類毎に異なる補正係数を持ち、前記識別部の識別されたスクリーンの種類に応じて、その補正係数を選択して補正することを特徴とするカメラ。
【発明の詳細な説明】
【０００１】
【発明の属する技術分野】
本発明は、複数の領域に分割した測光用センサー上に被写体像を結像させ、特定の領域の測光値に基づいて、スポット測光値を検出する測光装置及びカメラに関するものである。
【０００２】
【従来の技術】
従来、この種の測光装置として、例えば、ファインダースクリーン上に結像した被写体像を、再結像光学系により、複数の測光素子を有する測光用センサー上に結像させ、撮影画面を複数の測光領域に分割して測光を行う装置が知られている。この測光装置は、測光用センサーの一部の測光素子の測光値を用いることにより、専用の光学系及び測光用センサーを付加せずに、撮影画面の特定の領域を測光するスポット測光が可能となる。
【０００３】
【発明が解決しようとする課題】
しかし、上述した従来の測光装置は、再結像光学系における内面反射などの迷光の影響によって、スポット測光領域以外の領域の光の一部がスポット測光領域へ進入し、スポット測光領域の測光値に誤差を生じさせるという問題がある。
本発明の課題は、再結像光学系における内面反射などの迷光の影響を除き、特定の測光領域の正確な測光値を検出する測光装置及びカメラを提供することにある。
【０００４】
【課題を解決するための手段】
上記目的を達成するために、請求項１の発明は、被写界を複数の領域に分割し、各領域ごとに測光素子を配置して測光する測光装置において、前記複数の領域のうちの特定領域に対応する測光素子の測光値を、前記特定領域以外の領域の測光値と、予め設定した各領域ごとの補正係数とに基づいて補正する演算部を備え、前記演算部は、前記特定領域近傍の領域における補正係数の絶対値が、その領域の測光素子出力の補正への影響の割合が小さくなるように設定された補正係数に基づいて補正することを特徴とする。
請求項２の発明は、被写界を複数の領域に分割し、各領域ごとに測光素子を配置して測光する測光装置において、前記複数の領域のうちの特定領域に対応する測光素子の測光値を、前記特定領域以外の領域の測光値と、予め設定した各領域ごとの補正係数とに基づいて補正する演算部を備え、前記演算部は、前記各領域ごとの補正係数を、前記特定領域以外では０又は負の値とし、前記特定領域内では正の値として、前記各領域ごとの測光値と対応する補正係数との積の和をとることにより、前記特定領域の測光値を補正した値を求めることを特徴とする。
請求項３の発明は、請求項２に記載の測光装置において、前記演算部は、前記特定領域近傍の領域における補正係数の絶対値が、その領域の測光素子出力の補正への影響の割合が小さくなるように設定された補正係数に基づいて補正することを特徴とする。
請求項４の発明は、請求項２に記載の測光装置において、前記演算部は、前記各領域のうち、前記特定領域の近くでは補正係数の絶対値が大きく、画面周辺にいくに従って小さくなるような分布を持つ補正係数に基づいて補正することを特徴とする。
請求項５の発明は、請求項１から請求項４のいずれか１項に記載の測光装置において、前記特定の領域は、被写界の複数の位置に設定されていることを特徴とする。
請求項６の発明は、請求項５に記載の測光装置において、前記複数の特定領域のなかから任意の特定領域を選択する操作部材を備えることを特徴とする。
請求項７の発明は、請求項５に記載の測光装置を備えたカメラにおいて、撮影画面を複数の焦点検出領域に分割し、各焦点検出領域ごとに撮影光学系の焦点調節状態を検出する焦点検出部と、前記焦点検出部により検出された焦点検出領域ごとの焦点調節状態に基づいて、前記複数の特定領域のなかからいずれかの特定領域を選択する領域選択部とを備えることを特徴とする。
請求項８の発明は、請求項１から請求項６のいずれか１項に記載の測光装置を備えたカメラにおいて、交換可能なスクリーンのうち、使用されているスクリーンの種類を識別する識別部を持ち、前記演算部は、前記スクリーンの種類毎に異なる補正係数を持ち、前記識別部の識別されたスクリーンの種類に応じて、その補正係数を選択して補正することを特徴とする。
【０００５】
【発明の実施の形態】
−第１の実施形態−
以下、本発明の測光装置を一眼レフレックスカメラに応用した第１の実施形態について説明する。図１は、第１の実施形態に係る測光装置を装備した一眼レフレックスカメラの構成を示す機能ブロック図である。
撮影レンズ１を通過した被写体からの光束は、クイックリターンミラー２によって反射され、ファインダースクリーン３上に結像する。ファインダースクリーン３上に結像した被写体像は、ペンタダハプリズム４を経て、測光用再結像レンズ５により、測光用センサー６上に再結像される。
測光用センサー６は、被写体像の輝度分布を測定して、測光信号が演算装置７へ出力される。演算装置７は、その測光信号に基づいて、露出演算を行い、露光量を決定する。
【０００６】
図２は、第１の実施形態に係る測光用センサー６の正面拡大図である。
この第１の実施形態では、測光用センサー６は、ファインダースクリーン３上に設定した撮影画面を横２０分割、縦１２分割して、合計２４０個の測光領域Ｒ［ｉ，ｊ］（ｉ＝１〜２０、ｊ＝１〜１２）を形成する。なお、上述した被写界は、ファインダースクリーン３上に設定された撮影画面に対応している。
測光用センサー６は、これらの測光領域のそれぞれに対応する２４０個の測光素子を有しており、各領域毎に測光して、測光値Ｂ［ｉ，ｊ］を出力する。また、この第１の実施形態では、スポット測光領域Ｓｐは、中央部の４個の領域Ｒ［１０，６］，Ｒ［１０，７］，Ｒ［１１，６］，Ｒ［１１，７］である。
【０００７】
次に、第１の実施形態の動作を説明する。図３は、演算装置７のスポット測光値Ｂｓｐの演算処理を示すフローチャートである。
演算装置７は、ステップＳ１において、測光用センサー６から各測光領域ごとの測光値Ｂ［ｉ，ｊ］を入力する。これらの測光値Ｂ［ｉ，ｊ］は、非対数変換値である。
続くステップＳ２において、スポット測光領域Ｓｐに含まれる４個の測光素子Ｓ［１０，６］，Ｓ［１０，７］，Ｓ［１１，６］，Ｓ［１１，７］の測光値Ｂ［１０，６］，Ｂ［１０，７］，Ｂ［１１，６］，Ｂ［１１，７］の平均値Ａｖを次式により算出する。
Ａｖ＝｛Ｂ［１０，６］＋Ｂ［１０，７］＋Ｂ［１１，６］＋Ｂ［１１，７］｝／４    …（１）
【０００８】
次のステップＳ３において、各測光素子の測光値Ｂ［ｉ，ｊ］に、各測光領域ごとに予め設定された補正係数Ｅ［ｉ，ｊ］を乗じることにより、補正値Ｒｓを算出する。ここで、スポット測光領域Ｓｐの補正係数Ｅ［１０，６］，Ｅ［１０，７］，Ｅ［１１，６］，Ｅ［１１，７］は、すべて０とし、スポット測光領域Ｓｐは、補正値Ｒｓの演算から除外してある。
Ｒｓ＝Σ｛Ｂ［ｉ，ｊ］＊Ｅ［ｉ，ｊ］｝    …（２）
【０００９】
そして、ステップＳ４において、スポット測光領域Ｓｐの平均値Ａｖと補正値Ｒｓに基づいて次式によりスポット測光領域Ｓｐの測光値Ｂｓｐを算出する。
Ｂｓｐ＝ｌｏｇ２  （Ａｖ−Ｒｓ）＋Ｏｂ    …（３）
ここで、Ｏｂは、オフセット補正値である。
【００１０】
このように、スポット測光領域Ｓｐの平均値Ａｖから、再結像光学系における内面反射などの迷光の影響分、すなわち補正値Ｒｓを除き、正確なスポット測光値Ｂｓｐを得ることができる。
【００１１】
補正係数Ｅ［ｉ，ｊ］は、再結像光学系やカメラ自体の構成によって異なるので、予めカメラの種類ごとに実験をして、迷光の影響を補正するように決定してある。
しかし、この迷光の影響は、スポット測光領域の近くほど顕著に現れるために、このようにして求めた補正係数は、スポット測光領域の近傍の領域の補正係数が極端に大きくなる。そのために、測光値は、スポット測光領域の近傍の領域の測光素子の出力のみに大きく依存し、この部分に高輝度の被写体が入るか否かによって変わってしまい、安定しなくなる。
そこで、補正係数は、スポット測光領域の近傍の領域では、その領域の測光素子出力の補正への影響の割合が小さくなるように、補正係数の絶対値を小さい値に設定した。その他の領域では、実験によって最適な値を求めるようにした。
【００１２】
図４は、第１実施形態に係る補正係数の分布を示す図である。
この補正係数は、前述したようにして求めたものであり、次のような特徴を持っている。この補正係数の絶対値は、スポット測光領域の近傍の領域では、小さい値である。また、補正係数は、迷光の影響を少なくするように設定されるが、迷光の影響は、スポット測光領域の近くに高輝度の被写体が置かれた場合の方が、画面周辺に高輝度の被写体が置かれた場合よりも大きいので、補正係数の絶対値もスポット測光領域の近くが大きくなり、画面周辺に向かうに従って小さくなる。ただし、ここでは、前述したように、スポット測光領域の近傍の領域は小さい値としたので、除外して考えている。そのために、スポット測光領域の外側を取り囲むように配置される環状の領域では、大きい値となる。さらに、この環状の領域から画面の周辺に向かうに従って小さい値となる。
【００１３】
−第２の実施形態−
第２の実施形態は、補正係数Ｅ１［ｉ，ｊ］の値を、スポット測光領域以外では０又は負の値とし、スポット測光領域では正の値とすることにより、第１の実施形態と等価な補正演算を、各測光領域の測光素子の出力と補正係数の積の和をとることによって行うようにしたものである。
【００１４】
図５は、第２の実施形態における補正係数の分布を示す図である。なお、以下に説明する各実施形態では、その構成は、図１に示した第１の実施形態の構成と同様であるので、重複する説明は省略する。
補正係数Ｅ１［ｉ，ｊ］は、スポット測光領域以外では、０又は負の値としてある。スポット測光領域Ｓｐにあたる補正係数Ｅ１［１０，６］，Ｅ１［１０，７］，Ｅ１［１１，６］，Ｅ１［１１，７］は、正の値であり、１をスポット測光領域の測光素子の数で割った値、この例では０．２５として、これらの値を一つのテーブルＥ１［ｉ，ｊ］に納める。
この第２の実施形態は、各測光素子の測光値Ｂ［ｉ，ｊ］と補正係数Ｅ１［ｉ，ｊ］を乗じて和をとるだけで、補正の演算を行なうことができる。この値を対数変換することにより、補正されたスポット測光の測光値Ｂｓｐを得ることができる。
【００１５】
図６は、第２の実施形態におけるスポット測光値Ｂｓｐの演算処理を示すフローチャートである。
Ｓ１１において、測光用センサー６から各測光領域ごとの測光値Ｂ［ｉ，ｊ］を入力する。これらの測光値Ｂ［ｉ，ｊ］は、非対数変換値である。
続くステップＳ１２において、各測光領域ごとの測光値Ｂ［ｉ，ｊ］と各測光領域ごとの補正係数Ｅ１［ｉ，ｊ］とから、次の式によって、Ａｖ−Ｒｓの値を求める。
Ａｖ−Ｒｓ＝Σ｛Ｂ［ｉ，ｊ］＊Ｅ１［ｉ，ｊ］｝    …（４）
【００１６】
次のステップＳ１３において、この値を対数変換して、スポット測光値Ｂｓｐを求める。
Ｂｓｐ＝ｌｏｇ２  （Ａｖ−Ｒｓ）＋Ｏｂ    …（５）
ここで、Ｏｂは、オフセット補正値である。この演算は、第１の実施形態の補正演算と等価なものである。
【００１７】
−第３の実施形態−
第３の実施形態は、撮影画面に複数のスポット測光領域を設定し、任意のスポット測光領域の測光値を検出するようにしたものである。
図７は、第３の実施形態のスポット測光領域を示す図である。この第３の実施形態では、図２に示す中央のスポット測光領域Ｓｐ、Ｒ［１０，６］，Ｒ［１０，７］，Ｒ［１１，６］，Ｒ［１１，７］の他に、左右それぞれのスポット測光領域Ｓｐ２、Ｓｐ３が設定されている。左側のスポット測光領域Ｓｐ２は、４個の領域Ｒ［６，６］，Ｒ［６，７］，Ｒ［７，６］，Ｒ［７，７］からなり、右側のスポット測光領域Ｓｐ３は、４個の領域Ｒ［１４，６］，Ｒ［１４，７］，Ｒ［１５，６］，Ｒ［１５，７］からなる。
【００１８】
図８は、第３の実施形態におけるそれぞれのスポット領域に対応した、補正係数の例を示す図である。
演算装置７は、予め補正係数を用意しておき、これらから一つを選択することにより、それぞれに対応した補正演算を行うことができる。
【００１９】
図９は、演算装置７のスポット測光値Ｂｓｐ、Ｂｓｐ２、Ｂｓｐ３の演算処理を示すフローチャートである。
ステップＳ２１において、測光用センサー６から各測光領域ごとの測光値Ｂ［ｉ，ｊ］を入力する。これらの測光値Ｂ［ｉ，ｊ］は非対数変換値である。
【００２０】
続くステップＳ２２において、不図示のスポット領域選択スイッチにより、中央のスポット測光領域Ｓｐか否かを判別する。中央の測光領域Ｓｐが選択されている場合には、ステップＳ２３へ進み、各測光領域ごとの測光素子出力Ｂ［ｉ，ｊ］と、スポット測光領域が中央の場合の補正係数Ｅ１［ｉ，ｊ］の積の和をとり、Ａｖ−Ｒｓを算出する。
【００２１】
次のステップＳ２４において、Ａｖ−Ｒｓを対数変換し、オフセット補正値Ｏｂを加え、中央のスポット測光値Ｂｓｐを算出する。スポット測光値の算出手順は、第１又は第２の実施形態で説明した手順と同様であるが、ここでは、第２の実施形態にそって説明する。
【００２２】
ステップＳ２２で中央のスポット領域が選択されなかった場合には、ステップＳ２５において、左側スポット測光領域Ｓｐ２が選択されたか否かを判別する。左側のスポット測光領域Ｓｐ２が選択されるときには、ステップＳ２６へ進み、各測光領域ごとの測光素子出力Ｂ［ｉ，ｊ］と、スポット測光領域が左側の場合の補正係数Ｅ２［ｉ，ｊ］の積の和をとり、Ａｖ２−Ｒｓ２を算出する。
Ａｖ２−Ｒｓ２＝Σ｛Ｂ［ｉ，ｊ］＊Ｅ２［ｉ，ｊ］｝    …（６）
【００２３】
ステップＳ２７において、Ａｖ２−Ｒｓ２を対数変換し、オフセット補正値Ｏｂ２を加え、左側のスポット測光値Ｂｓｐ２を算出する。
Ｂｓｐ２＝ｌｏｇ２  （ＡＶ２−Ｒｓ２）＋Ｏｂ２    …（７）
【００２４】
ステップＳ２５において、左側スポット測光領域Ｓｐ２が選択されていないときには、右側スポットが選択されたと判断し、ステップＳ２８へ進む。ステップＳ２８において、各測光領域ごとの測光素子出力Ｂ［ｉ，ｊ］と、スポット領域が右側の場合の補正係数Ｅ３［ｉ，ｊ］との積の和をとり、Ａｖ３−Ｒｓ３を算出する。
Ａｖ３−Ｒｓ３＝Σ｛Ｂ［ｉ，ｊ］＊Ｅ３［ｉ，ｊ］｝    …（８）
【００２５】
ステップＳ２９において、Ａｖ３−Ｒｓ３を対数変換し、オフセット補正値Ｏｂ３を加え、右側のスポット測光値Ｂｓｐ３を算出する。
Ｂｓｐ３＝ｌｏｇ２  （Ａｖ３−Ｒｓ３）＋Ｏｂ３    …（９）
【００２６】
上述した第３の実施形態では、複数のスポット測光領域の中から手動でいずれかのスポット測光領域を選択したが、撮影画面に設定された複数の焦点検出領域ごとに撮影レンズの焦点調節状態を検出し、各焦点検出領域ごとの焦点調節状態に基づいて自動的にスポット測光領域を選択するようにしてもよい。例えば、複数の焦点検出領域の中から最も至近を示す焦点調節状態が得られた焦点検出領域に対応する測光領域をスポット測光領域に設定する。
また、スポット測光領域の個数、配置及び広さは上述した実施形態に限定されない。
【００２７】
−第４の実施形態−
第４の実施形態は、交換スクリーンの種類に応じて、予め設定された複数の補正係数の値を選択して、それぞれのスクリーンに適した補正を行うようにしたものである。
図１０は、第４の実施形態に係る交換スクリーンの例を示す図である。交換スクリーン１１と１２は、迷光特性の異なるスクリーン、交換スクリーン１３は、スプリットプリズム１７が中心に、マイクロプリズム１８がその周辺に設けられた型のスクリーンである。
各スクリーン１１、１２、１３は、その側面に電気接点などの、スクリーン識別のための判別用部材１４、１５、１６が設けられ、不図示のボディ側スクリーン識別部によって、どの型の交換スクリーンが付けられているかを識別することができる。
第４の実施形態は、識別された交換スクリーンの種類によって、予め設定された複数の異なる補正係数のテーブルの内一つを選んで、交換スクリーンの種類に適したスポット測光値の演算をおこなう。
【００２８】
図１１は、第４の実施形態に係る交換スクリーンの種類に対応した補正係数の分布の例を示す図である。
Ｅ４［ｉ，ｊ］は、交換スクリーン１１用、Ｅ５［ｉ，ｊ］は、交換スクリーン１２用、Ｅ６［ｉ，ｊ］は、交換スクリーン１３用の補正係数である。Ｅ６［ｉ，ｊ］では、補正係数のみでなく、スポット測光領域の大きさも変えている。このように、第２の実施形態のように、補正係数を負の値とし、スポット測光領域を正の値として、これらの値を一つのテーブルに納める方法を使い、予めスポット測光領域の大きさを変えた補正係数のテーブルを用意しておいて、その中の一つを選択するようにすると、スポット測光領域の大きさも簡単に変えることができる。
【００２９】
図１２は、第４の実施形態における演算装置７での、スポット測光値を求める演算処理を示すフローチャートである。
ステップＳ３１において、測光用センサー６から各測光領域ごとの測光値Ｂ［ｉ，ｊ］を入力する。これらの測光値Ｂ［ｉ，ｊ］は非対数変換値である。
続くステップＳ３２において、不図示のスクリーン識別部がスクリーンに設けられている識別のための判別用部材１４、１５、１６を読みとって、交換スクリーンの種類を識別する。
以降のステップでは、交換スクリーンの種類によって、予め設定された複数の異なる補正係数の内、一つを選んで交換スクリーンの種類に適したスポット測光値の演算を行う。
【００３０】
ステップＳ３２において、スクリーン１１が使われていると識別された場合には、ステップＳ３３へ進み、スクリーン１１用の補正係数Ｅ４［ｉ，ｊ］と、各測光領域ごとの測光値Ｂ［ｉ，ｊ］との積の和をとり、Ａｖ４−Ｒｓ４を算出する。
Ａｖ４−Ｒｓ４＝Σ｛Ｂ［ｉ，ｊ］＊Ｅ４［ｉ，ｊ］｝    …（１０）
【００３１】
次のステップＳ３４において、Ａｖ４−Ｒｓ４を対数変換して、オフセット補正値Ｏｂ４を加え、スポット測光値Ｂｓｐ４を求める。
Ｂｓｐ４＝ｌｏｇ２  （Ａｖ４−Ｒｓ４）＋Ｏｂ４    …（１１）
【００３２】
ステップＳ３２において、スクリーン１１ではないと判別された場合には、ステップＳ３５において、スクリーン１２か否かを判別する。スクリーン１２が使われていると判別された場合には、ステップＳ３６へ進み、スクリーン１２用の補正係数Ｅ５［ｉ，ｊ］と、各測光領域ごとの測光値Ｂ［ｉ，ｊ］との積の和をとり、Ａｖ５−Ｒｓ５を算出する。
Ａｖ５−Ｒｓ５＝Σ｛Ｂ［ｉ，ｊ］＊Ｅ５［ｉ，ｊ］｝    …（１２）
【００３３】
次のステップＳ３７において、Ａｖ５−Ｒｓ５を対数変換して、オフセット補正値Ｏｂ５を加え、スポット測光値Ｂｓｐ５を求める。
Ｂｓｐ５＝ｌｏｇ２  （Ａｖ５−Ｒｓ５）＋Ｏｂ５    …（１３）
【００３４】
ステップＳ３５において、スクリーン１２ではないと判別された場合には、スクリーン１３が使われていると判別し、ステップＳ３８へ進む。ステップＳ３８では、スクリーン１３用の補正係数Ｅ６［ｉ，ｊ］と、各測光領域ごとの測光値Ｂ［ｉ，ｊ］との積の和をとり、Ａｖ６−Ｒｓ６を算出する。
Ａｖ６−Ｒｓ６＝Σ｛Ｂ［ｉ，ｊ］＊Ｅ６［ｉ，ｊ］｝    …（１４）
【００３５】
次のステップＳ３９において、これを対数変換して、オフセット補正値Ｏｂ６を加え、スポット測光値Ｂｓｐ６を求める。
Ｂｓｐ６＝ｌｏｇ２  （Ａｖ６−Ｒｓ６）＋Ｏｂ６    …（１５）
【００３６】
ここでは、３種類のスクリーンを識別する例を挙げたが、スクリーンの種類や、識別するスクリーンの数、スポット測光領域の配置及び広さは、上述した実施形態に限定されない。
【００３７】
【発明の効果】
以上詳しく説明したように、本発明によれば、再結像光学系における内面反射などの迷光の影響を除き、特定の測光領域の正確な測光値を検出することができる、という効果がある。
【図面の簡単な説明】
【図１】第１の実施形態に係る測光装置を装備した一眼レフレックスカメラの構成を示す機能ブロック図である。
【図２】第１の実施形態に係る測光用センサーの正面拡大図である。
【図３】第１の実施形態に係るスポット測光値の演算処理を示す流れ図である。
【図４】第１の実施形態に係る補正係数の分布を示す概略図である。
【図５】第２の実施形態に係る補正係数の分布を示す概略図である。
【図６】第２の実施形態に係るスポット測光値の演算処理を示す流れ図である。
【図７】第３の実施形態に係るスポット測光領域をしめす測光用センサーの正面拡大図である。
【図８】第３の実施形態に係る補正係数の分布を示す概略図である。
【図９】第３の実施形態に係るスポット測光値の演算処理を示す流れ図である。
【図１０】第４の実施形態に係る交換スクリーンの正面拡大図である。
【図１１】第４の実施形態に係る補正係数の分布を示す概略図である。
【図１２】第４の実施形態に係るスポット測光値の演算処理を示す流れ図である。
【符号の説明】
１  撮影レンズ
２  クイックリターンミラー
３  ファインダースクリーン
４  ペンタダハプリズム
５  測光用再結像レンズ
６  測光用センサー
７  演算装置
１１，１２，１３    交換スクリーン
１４，１５，１６  スクリーン判別用部材
１７  スプリットプリズム部
１８  マイクロプリズム部
【図１】
0003607961.tif 000002
【図２】
0003607961.tif 000003
【図３】
0003607961.tif 000004
【図４】
0003607961.tif 000005
【図５】
0003607961.tif 000006
【図６】
0003607961.tif 000007
【図７】
0003607961.tif 000008
【図８】
0003607961.tif 000009
【図９】
0003607961.tif 000010
【図１０】
0003607961.tif 000011
【図１１】
0003607961.tif 000012
【図１２】
0003607961.tif 000013